(57)【特許請求の範囲】
【請求項１】
左右の検査窓に光学素子を切換え配置する自覚式屈折力測定装置と、検査視標を表示するディスプレイを持ち、所定の遠用検査距離に設置されて検眼に使用されるディスプレイ式の視標呈示装置と、を備える検眼装置において、
検者により準備された検査視標の画像データであって、予め約束された所定のファイル名がそれぞれ付与された検査視標の画像データを記憶する書き込み可能な記憶デバイスと、
検者が検眼手順の流れを設定し、前記ディスプレイに表示させる検査視標に対応させて前記自覚式屈折力測定装置の動作条件を検査段階毎に検眼プログラムとして設定する検眼プログラム作成装置であって、各検査段階の検査視標として装置メーカにより準備された検査視標とは別に検者により準備された検査視標を設定するために、前記ファイル名を直接設定する画面又はファイル名に対応して定められた選択欄が用意された検者視標設定画面を有する検眼プログラム作成装置と、
前記検眼プログラムの実行により前記検者視標設定画面で設定された検査段階に移行されると、前記検者視標設定画面で設定された前記ファイル名に対応する検査視標の画像データを前記記憶デバイスから呼び出して前記ディスプレイに表示させる表示制御手段と、
を備えることを特徴とする検眼装置。
【請求項２】
請求項１の検眼装置において、前記視標呈示装置のディスプレイに表示させる検査視標を選択する選択キーが設けられ、前記選択キーの選択信号を送信する操作ユニットであって、装置メーカが準備した既存の検査視標を選択するための既存視標選択キーを有すると共に、検者が準備して追加された検査視標を選択するための追加視標選択キーを有する操作ユニットを備え、
前記追加視標選択キーは前記ファイル名に対応付けられた選択キーが用意され、前記表示制御手段は前記追加視標選択キーによって選択されたファイル名に対応する検査視標の画像データを前記記憶デバイスから呼び出して前記ディスプレイに表示させることを特徴とする検眼装置。
【請求項３】
請求項１の検眼装置において、前記検者視標設定画面には前記自覚式屈折力測定装置の検査段階毎の動作条件として左右の検査窓に配置する補助レンズを設定するための欄が設けられていることを特徴とする検眼装置。
【発明の詳細な説明】
【技術分野】
【０００１】
本発明は、被検眼の視機能検査、眼鏡レンズ等の処方検査に使用される検眼装置に関する。
【背景技術】
【０００２】
被検眼の視機能検査、眼鏡レンズ等の処方検査では、検査視標を呈示する視標呈示装置を備える検眼装置が使用され、また、種々の光学特性の光学素子を左右の検査窓に切換え配置する自覚式屈折力測定装置を備える検眼装置が使用される。視標呈示装置においては、ディスク板に形成された視標がスクリーンに投影される投影タイプと、筐体内に凹面鏡と視標が形成されたディスク板が配置され、凹面鏡を介して検査視標を呈示する省スペースタイプとの他、近年は液晶等のディスプレイに検査視標を表示させるディスプレイ式の装置が提案されている（例えば、特許文献１参照）。
【０００３】
また、視標呈示装置と自覚式屈折力測定装置を連動させた検眼装置においては、検眼手順の各検査段階で視標呈示装置に呈示させる検査視標と自覚式屈折力測定装置の動作条件とが関連付けられた検眼プログラムを使用することにより、検眼を効率的に行える。検眼プログラムにおいては、予め装置メーカが準備した検眼プログラム以外に、検者が独自の検眼プログラムを作成したいという要望がある。このため、検眼装置には、検者自身が検眼プログラムを作成するための検眼プログラム作成機能が設けられている（例えば、特許文献２、３参照）。
【特許文献１】特開２００６−４２９７８号公報
【特許文献２】特開平５−１８４５３８号公報
【特許文献３】特開平８−２８９８７３号公報
【発明の開示】
【発明が解決しようとする課題】
【０００４】
ところで、投影タイプ及び省スペースタイプの視標呈示装置では、検査視標の内容を変更又は追加することは装置メーカが行うしかなく、ディスク板に形成された検査視標の変更又は追加は容易でなかった。これに対して、ディスプレイ式の視標呈示装置を備える検眼装置では、検査視標データを記憶するメモリの内容を変更又は追加することを比較的容易に行える。
【０００５】
しかし、ディスプレイ式の視標呈示装置においても、検査視標の変更又は追加は装置メーカにより行われており、検者側で検査視標を作成又は準備し、これを視標呈示装置に表示させることは行われていなかった。さらに、視標呈示装置と自覚式屈折力測定装置を連動させた検眼プログラム作成機能においても、装置メーカが準備した検査視標を使用することを前提とされていた。このため、検者が検査視標を準備し、これを使用した検眼プログラムを作成することはできなかった。
本発明は、上記従来技術の問題点に鑑み、ディスプレイ式の視標呈示装置に検者が準備した検査視標を呈示可能にし、また、その検査視標を使用した検眼プログラムを検者が容易に作成可能にする検眼装置を提供することを技術課題とする。
【課題を解決するための手段】
【０００６】
本発明は、上記課題を解決するために、以下のような構成を備えることを特徴とする。
（１）  左右の検査窓に光学素子を切換え配置する自覚式屈折力測定装置と、検査視標を表示するディスプレイを持ち、所定の遠用検査距離に設置されて検眼に使用されるディスプレイ式の視標呈示装置と、を備える検眼装置において、検者により準備された検査視標の画像データであって、予め約束された所定のファイル名がそれぞれ付与された検査視標の画像データを記憶する書き込み可能な記憶デバイスと、検者が検眼手順の流れを設定し、前記ディスプレイに表示させる検査視標に対応させて前記自覚式屈折力測定装置の動作条件を検査段階毎に検眼プログラムとして設定する検眼プログラム作成装置であって、各検査段階の検査視標として装置メーカにより準備された検査視標とは別に検者により準備された検査視標を設定するために、前記ファイル名を直接設定する画面又はファイル名に対応して定められた選択欄が用意された検者視標設定画面を有する検眼プログラム作成装置と、前記検眼プログラムの実行により前記検者視標設定画面で設定された検査段階に移行されると、前記検者視標設定画面で設定された前記ファイル名に対応する検査視標の画像データを前記記憶デバイスから呼び出して前記ディスプレイに表示させる表示制御手段と、を備えることを特徴とする。
（２）  （１）の検眼装置において、前記視標呈示装置のディスプレイに表示させる検査視標を選択する選択キーが設けられ、前記選択キーの選択信号を送信する操作ユニットであって、装置メーカが準備した既存の検査視標を選択するための既存視標選択キーを有すると共に、検者が準備して追加された検査視標を選択するための追加視標選択キーを有する操作ユニットを備え、前記追加視標選択キーは前記ファイル名に対応付けられた選択キーが用意され、前記表示制御手段は前記追加視標選択キーによって選択されたファイル名に対応する検査視標の画像データを前記記憶デバイスから呼び出して前記ディスプレイに表示させることを特徴とする。
（３）  （１）の検眼装置において、前記検者視標設定画面には前記自覚式屈折力測定装置の検査段階毎の動作条件として左右の検査窓に配置する補助レンズを設定するための欄が設けられていることを特徴とする。
【発明の効果】
【０００７】
本発明によれば、検者が準備した検査視標をディスプレイ式の視標呈示装置に表示することができ、検者が準備した検査視標を使用した検眼プログラムを検者が容易に作成することができる。
【発明を実施するための最良の形態】
【０００８】
以下、本発明の一実施例を図面に基づいて説明する。図１は検眼装置が持つ各装置の概略構成図であり、図２は各装置の制御ブロック図である。
【０００９】
検眼装置は、左右の検査窓１１に種々の光学素子（矯正レンズ、補助レンズ）を切換え配置する測定ユニット（自覚式屈折力測定装置）１０と、液晶等のディスプレイ２０１に検査視標を表示する視標呈示装置２００と、測定ユニット１０及び視標呈示装置２００を動作させる指令信号を入力する操作ユニット２０と、操作ユニット２０，測定ユニット１０及び視標呈示装置２００の間の指令信号の送受信を中継する中継ユニット７０と、により構成される。操作ユニット２０は検眼プログラム作成装置を兼ねる。
【００１０】
測定ユニット１０は、左右の検査窓に光学系を切換え配置するための球面レンズディスク，第１補助レンズディスク，第２補助レンズディスク等のレンズディスク１２と、各レンズディスクを駆動するモータ等から構成される駆動部１３と、制御部１４とを備える。第１補助レンズディスクには、レッドフィルタ、グリーンフィルタ、偏光フィルタ、プリズム、固定クロスシリンダレンズ、遮蔽板等が配置されている。第２補助レンズディスクには、検査軸を中心に回転可能なクロスシリンダレンズが配置されている。制御部１４は、操作ユニット２０から送信される信号に従って駆動部１３を駆動し、レンズ等の光学素子を検査窓１１に配置する。
【００１１】
操作ユニット２０は、検眼情報を表示するタッチパネル式のディスプレイ２２と、図３に示すような各種の操作キーを持つ操作パネル部２３と、メモリ部２４とを備える。タッチパネル式のディスプレイ２２及び操作部２３は操作信号を入力する入力部として使用される。メモリ部２４には、メーカが準備した検査進行手順の検眼ブログラムの他、検者が作成した検査進行手順の検眼プログラムが記憶される検眼プログラム記憶部２４ａと、測定データが記憶される記憶部２４ｂと、ディスプレイ２２の表示や検眼プログラム作成のための制御プログラムを有する記憶部２４ｃとを有する。制御部２１は、操作パネル部２３及びディスプレイ２２から入力される操作信号を各種データに変換し、メモリ部２４の制御プログラムに従ってディスプレイ２２の表示を制御する。また、制御部２１は、測定ユニット１０の動作に関する指令信号を測定ユニット１０に送り、視標呈示に関する指令信号を視標呈示装置２００に送る。
【００１２】
操作パネル部２３は、図３に示されるように、次のような各種の操作キーを持つ。３０は呈示視標に必要なマスクをかけるマスクキー群、３１は検眼プログラムを実行するスタートキー、３２は検眼プログラムの検査段階を次の段階に進める送りキー、３３は球面度数，乱視度数，乱視軸角度等の調整モードを指定するキーを持つモードキー群、３４はデータを入力する際のモード又は測定するモードを指定するキーを持つ入力データ指定キー群、３５は左右の測定眼を個別又は同時に指定するキーを持つ測定眼選択キー群、３６は測定値の変更や数値入力のときに使用するダイヤルノブである。３７ａ，３７ｂはクロスシリンダを切換えるクロスシリンダーキーである。３８はディスプレイ２２のメニュー画面を表示させるメニューキーである。３９はシフトキーであり、これと他のキーを同時に押すと、他のキーのスイッチ機能を切り替えることができる。なお、以上の各キーは検眼プログラムの作成用の操作キーとしても使用されるものも含む。
【００１３】
図４（ａ）は、ディスプレイ２２に表示される検査画面例である。画面上部の検眼情報表示部８０には、測定ユニット１０の左右の検査窓に配置されている矯正光学系のＳ（球面度数）、Ｃ（乱視度数）、Ａ（乱視軸角度）のデータが表示される。また、Ｓ、Ｃ，Ａの各記号の両隣の数値欄が反転表示されることにより、何れの調整モードあるかが示される。表示欄８２には、測定ユニット１０の左右の検査窓１１に配置される補助レンズの種類が図柄により表示される。表示欄８３には、遠用検査／近用検査の区別が表示される。中央の表示欄８４には、検査時に視標呈示装置２００に呈示されている視標が図柄で表示される。表示欄８５には、検眼プログラム実行時に次の検査段階で視標呈示装置２００に呈示され視標の図柄が表示される。また、検眼プログラムの種類が「プログラムＢ」のように表示される。
【００１４】
また、画面の右側の視標欄８６には、検査視標を選択するための複数の選択キーが設けられている。図４（ａ）の例は、装置メーカが準備した既存視標の選択キー８６ａであり、この場合、各選択キーが図柄で表示されている。マニュアル検査時においては、選択キー８６ａの内の一つのをタッチすることにより、視標の選択信号が入力され、視標呈示装置２００側に送信される。選択された視標が切換えられると、表示欄８４の視標図柄も切換えられる。装置メーカの準備による検査視標が多数ある場合は、タグアイコン（Ｎｏ．１，Ｎｏ．２，Ｎｏ．３）８６ｂにより、視標の選択キー８６ａを切換えることができる。なお、タグアイコン８７のＮｏ．４のアイコンをタッチすると、検者が準備した検査視標の追加視標選択キー８６ｂが設けられた表示に切換えられる（図４（ｂ）参照）。
【００１５】
視標呈示装置２００は、検査視標が表示されるディスプレイ２０１と、多数の視標データを書き込み記憶可能なフラッシュメモリカード等の可搬性の記憶媒体ＣＦと、この記憶媒体ＣＦが挿入される接続デバイスとしてのソケット２０３と、視標データが書き込み記憶されるメモリ２０５と、ディスプレイ２０１の表示を制御する制御部２１０と、を備える。制御部２１０はソケット２０３及びメモリ２０５と通信可能となるように接続されている。
【００１６】
視標呈示装置２００は５ｍ等の遠用検査距離に置かれるため、ディスプレイ２０１は大きなサイズの視力値検査視標が呈示可能な、例えば、１９インチのサイズを持つものが使用される。記憶媒体ＣＦには、メーカが予め準備した視標データが記憶される他、検者（使用者）が作成／準備した視標データが、所定の規格の画像データとして記憶される。記憶媒体ＣＦがソケッチ２０３に挿入されると、制御部２１０により視標データが読み出され、メモリ２０５にコピーされる（記憶される）。制御部２１０は、操作ユニット２０からの視標呈示に関する指令信号に従ってメモリ２０５に記憶された視標データを読み出し、ディスプレイ２０１に検査視標を表示させる。また、検査視標の表示に際しては、制御部２１０がソケット２０３に挿入された記憶媒体ＣＦに直接読み出しにいき、読み出した視標データに基づいてディスプレイ２０１に検査視標を表示させることでも良い。
【００１７】
検査視標の画像データの記憶媒体ＣＦへの書き込み記憶は、市販のパーソナルコンピュータＰＣが持つ書き込み機能を使用することができる。また、使用者が作成／準備した視標データについては、記憶媒体ＣＦを使用する他、視標呈示装置２００に配置された通信ポート２０７にコンピュータＰＣからの通信ケーブルが接続される構成とし、コンピュータＰＣから視標データが転送され、メモリ２０５に記憶される構成とすることもできる。
【００１８】
次に、以上のような構成を備える検眼装置において、検者により作成又は準備された検査視標を視標呈示装置２００に表示させる動作と、検眼プログラムの作成を説明する。
【００１９】
まず、検者により作成される検査視標の例を説明する。図５（ａ）は、球面度数調整用のクロスグリッド視標３００の例であり、黒色の５本の縦線３０１と５本の横線３０２とにより形成され、背景は白地で構成されている。検査時には、測定ユニット１０の検査窓１１に固定クロスシリンダレンズが配置され、縦線３０１と横線３０２の見え方の鮮明さにより、球面度数が調整される。
【００２０】
図５（ｂ）は、両眼視機能検査における斜位検査視標３１０の例である。上縦ライン３１１ａ及び右横ライン３１１ｂが緑色で描かれ、下縦ライン３１２ａ及び左横ライン３１２ｂが赤色で描かれている。また、中央の丸３１３ａ，斜め４方向のライン３１３ｂ及び外枠３１３ｃが黒色で描かれている。検査時には、左眼の検査窓１１にグリーンフィルタが配置され、右眼の検査窓１１にレッドフィルタが配置され、右眼と左眼で個別に視認される各ラインのずれにより、斜位が検査される。
【００２１】
図５（ｃ）は、両眼バランス検査視標３２０の例である。視標３２０の中央には、文字等が判読できない子供等の検査時に使用するために、文字や記号に代えて、子供が判読可能な５個のマンガ視標３２１が描かれている。５個のマンガ視標３２１のサイズは、左から視力値０．３、０．５、０．７、１．０、１．２に相当する大きさで描かれている。検査時には、右眼に基底下方向のプリズム（プリズム度数３）、左眼に基底上方向のプリズム（プリズム度数３）が配置されると、両眼には視標３２０が上下に分離して視認される。
【００２２】
このように検者が作成する検査視標は、コンピュータＰＣが有する市販の画像編集ソフトを用いて画像データとして作成することができる。例として、図５（ａ）のクロスグリッド視標３００を作成する場合について説明する。視標呈示装置２００（ディスプレイ２０１）は、被検者から遠用検査距離５ｍに設置されて使用されるものとする。また、ディスプレイ２０１は、１画素が一辺０．２９４ｍｍの正方形で、１２８０×１０２４（横×縦）ピクセルの画素構成を持つ１９インチの画面サイズであるとする。また、５ｍの検査距離に置かれるディスプレイ２０１に表示させたいクロスグリッド視標３００のサイズは、縦線３０１が持つ１本の縦線の長さが１８０ｍｍで、線幅が１．８ｍｍとする。線の間隔Ｗ（線と線の内側の距離）が２５．２ｍｍであるとする。この場合、ディスプレイ２０１の１画素のサイズが一辺０．２９４ｍｍであるので、縦線３０１の１．８ｍｍ×１８０ｍｍ（横×縦）を実現するためには、約６×６１２（横×縦）の画素構成となる。線の間隔Ｗの２５．２ｍｍを実現するためには、約８６画素となる。横線３０２は縦線３０１を９０度回転させた位置関係であり、その線の長さ、線幅及び線の間隔は縦線３０１と同じ構成であるので、画素構成も同じ計算を適用できる。
【００２３】
この画素構成を持つ視標３００の画像データは、市販のパーソナルコンピュータＰＣに搭載された画像編集ソフトにより、上記の画素構成が同じとなる視標を描くことにより作成される。すなわち、縦線３０１の一本の線については、約６×６１２（横×縦）の画素構成とし、線と線との間の間隔については、８６画素の構成とすれば良い。また、画像データの１枚については、ディスプレイ２０１と同じ１２８０×１０２４（横×高さ）ピクセルの画素構成とすれば、そのままのイメージがディスプレイ２０１に表示される。
【００２４】
また、図５（ｃ）のように、視力値視標に対応する視標３２１を作成する場合は、検査距離５ｍｍのときに規定されているランドルト視標を基準に、視標３２１の実際のサイズを決定する。例えば、検査距離５ｍｍで視力値０．３のランドルト視標は、２４．２４ｍｍ×２４．２４ｍｍのサイズであり、この場合、８２×８２ピクセルの画素構成で視標３２１を描くことにより、視力値０．３に相当する視標を作成することができる。他の視力値０．５、０．７、１．０、１．２の相当する視標３２１も同じ考えで作成できる。
【００２５】
以上のように検者が作成した検査視標の画像データは、コンピュータＰＣが持つライター機能により記憶媒体ＣＦに記憶さることができる。検者が記憶媒体ＣＦに記憶させるときの画像データの保存形式としては、例えばＪＰＥＧ等の一般的な規格の圧縮データとして保存すれば、記憶容量が節約できる。また、記憶媒体ＣＦに検者が準備した視標データを記憶させる際は、メーカ側で予め準備された視標データの記憶領域とは別に、追加視標の記憶領域として準備されたフィルダに記憶させる。これにより、メーカ側で準備された視標データとの混同を避け、検者（使用者）によりメーカ側で準備された視標データが消去されたり、変更されたりするトラブルを軽減することができる。
【００２６】
ここで、操作ユニット２０からの視標表示の指令信号（通信コード）を受けた制御部２１０がディスプレイ２０１に視標を表示させる際、いずれの視標を表示させるか、特定される必要がある。そのため、新たに検者によって追加された視標は、メーカが準備した視標と区別され、メーカが予め設定した所定のファイル名により特定されるようにする。すなわち、検者は、新たに作成（又は準備）した検査視標を記憶媒体ＣＦに記憶（保存）させる際は、メーカにより予め約束された所定のファイル名を各視標データに付与して保存する。ファイル名は、例えば、「Ｋ００１」，「Ｋ００２」，「Ｋ００３」，……，「Ｋ０１８」というように約束されている。以下では、図５の検査視標３００にファイル名「Ｋ００１」が付与され、検査視標３１０にファイル名「Ｋ００２」が付与され、検査視標３２０にファイル名「Ｋ００３」が付与されているものとする。
【００２７】
記憶媒体ＣＦが視標呈示装置２００のソケット２０３にセットされると、制御部２１０は記憶媒体ＣＦのメーカ記憶領域に予め記憶されていたメーカ準備の視標データを読み出し、これをメモリ２０５にコピーする。また、使用者用に割り当てられた記憶領域（フォルダ）に記憶された検者作成の視標データも呼び出し、これをメモリ２０５にコピーしても良い。制御部２１０の画像処理機能の処理速度が速い場合は、メモリ２０５にコピーすることなく、視標表示時に記憶媒体ＣＦから視標データを呼び出してディスプレイ２０１に視標を表示させることもできる。
【００２８】
上記のように検者により準備された検査視標を使用して、視標呈示装置２００に表示させる場合（マニュアル検査の場合）、検者が操作ユニット２０を操作し、タグアイコン８７のＮｏ．４のアイコンをタッチすると、ディスプレイ２２の表示画面は、図４（ｂ）のように、検者により追加された視標を選択するための追加視標選択キー８６ｂの表示に切換えられる。追加視標選択キー８６ｂは、「１」〜「１８」の番号が付けられたキーが用意されている。選択番号「１」はファイル名「Ｋ００１」の視標に対応し、選択番号「２」はファイル名「Ｋ００２」の視標に対応し、選択番号「３」はファイル名「Ｋ００３」の視標に対応し、以降、同様に選択番号「１８」はファイル名「Ｋ０１８」の視標に対応する約束になっている。追加視標選択キー８６ｂの内の一つが選択されると、制御部２１は選択キーに対応するファイル名の視標の表示指令信号を視標呈示装置２００に送信する。制御部２１０は送信されてきた指令信号に従い、メモリ２０５（又は記憶媒体ＣＦ）に記憶された視標データをファイル名に基づいて呼び出し、その検査視標をディスプレイ２０１に表示させる。検査視標はディスプレイ２０１の画素サイズ及び検査距離を考慮して作成されていることにより、検者が所望するサイズの検査視標が表示される。
【００２９】
次に、検者が検査手順の流れを定め、検査手順の検査段階毎に視標呈示装置２００に表示させる検査視標と測定ユニット１０の動作条件を検眼プログラムとして設定する検眼プログラムの作成機能を説明する。メニューキー３８の操作により、ディスプレイ２２の画面には各種の設定メニューが表示され、その中からプログラム書き込みメニューが選択されると、図示を略す検眼プログラム呼び出し画面がディスプレイ２２に表示される。例えば、５つの検眼プログラムＡ，Ｂ，Ｃ，Ｄ，Ｅを登録できる。検眼プログラム呼び出し画面により、例えば、プログラムＢが呼び出されると、図６（ａ）のように、そのプログラムＢの検査項目一覧画面９０ａがディスプレイ２２に表示される。この画面では、検査手順の各段階とそのプログラム内容の一覧が記載された検査項目アイコン１２０が表示される。プログラムが入力されていないときは、各アイコン１２０の内部は空欄で表示される。アイコン１２０の左横に表示される数字は、検眼手順の検査段階を示す検査項目番号である。新規にプログラムを作成するときは、検査項目番号１から順にプログラム内容をプログラムしていく。前頁アイコン１２５ａ，次頁アイコン１２５ｂにより、画面の頁を切換えられる。アイコン１２０がタッチされると、さらに、図６（ｂ）に示す条件設定画面９０ｂがディスプレイ２２に表示される。
【００３０】
条件設定画面９０ｂは、装置メーカによって準備された検査視標を検査段階毎に検眼プログラムとして設定する画面（既存視標設定画面）である。この画面９０ｂにおいて、９１は選択された視標の表示欄、９２は左右の検査窓１１に配置される補助レンズの設定欄、９４は入力データ（裸眼、眼鏡、他覚、自覚、処方等）の設定欄、９５は遠用及び近用の設定欄、９６は検査モード（球面度数調整モード、乱視度数調整モード、乱視軸角度調整モード）の設定欄、９７は測定眼（右眼、左眼、両眼）の設定欄、９８は雲霧量の設定欄、９９はクロスシリンダーテスト設定欄である。補助レンズの設定欄９２がタッチされると、選択可能な補助レンズの条件がポップアップ表示され、その中から測定ユニット１０の動作条件を選択して設定できる。他の設定欄９４，９５，９６，９７，９８については、それぞれの欄がタッチされる毎に選択可能な条件が切換えられることにより、条件を設定できる。また、９３は装置メーカにより準備された多数の検査視標の中かあら一つを選択するための視標選択欄であり、選択可能な視標が図柄や記号で表示される。選択可能な視標が多数ある場合は、タグアイコン（Ｎｏ．１，Ｎｏ．２，Ｎｏ．３，Ｎｏ．４）１０４により、視標の選択欄９３の表示を切換えることができる。ここでは、Ｎｏ．１〜３のタグアイコンは、メーカが用意した既存視標のみで構成される画面である。
【００３１】
Ｎｏ．４のタグアイコンは、新たに追加された検査視標の選択欄として用意されている。Ｎｏ．４のタグアイコンを選択すると、図６（ｃ）のように、視標の選択欄９３に代えて、検者が準備した視標を設定するための選択番号「１」〜「１８」の選択欄１０６が用意された条件設定画面９０ｃ（検者視標設定画面）に切換えられる。ここで、選択番号「１」はファイル名「Ｋ００１」の視標に対応し、選択番号「２」はファイル名「Ｋ００２」の視標に対応し、選択番号「３」はファイル名「Ｋ００３」の視標に対応し、以降、同様に選択番号「１８」はファイル名「Ｋ０１８」の視標に対応する約束になっている。
【００３２】
図６（ｂ）の表示例は、検査項目番号１の検査段階として球面度数調整の検査が設定された場合である。この場合、視標選択欄９３の中から、メーカにより予め準備されたレッド・グリーン視標が選択されると、表示欄９１にレッド・グリーン視標の図柄が表示される。検査眼として設定欄９７が右眼に設定されている。補助レンズ選択欄９２の右眼側が開放に設定され、左眼側が遮蔽に設定されている。設定欄９４は自覚検査が設定され、設定欄は遠用検査に設定され、検査モードの設定欄は球面調整モード（ＳＰＨ）が設定されている。また、この検査では設定欄９８が「雲霧＋０．５」に設定され、設定欄９９が「ＸＣテストしない」に設定されている。各設定欄は、各欄をタッチすることによりポップアップ表示される選択項目の中からタッチにより選択されることにより、検者が所望するものを設定できる。
【００３３】
ここで、球面度数調整の検査段階において、メーカが準備したレッド・グリーン視標に代えて、検者が準備した図５（ａ）の検査視標３００を使用した検眼プログラムを作成するものとする。この場合、タグアイコン１０４のＮｏ．４の選択より、図６（ｃ）に示した如く、検者が準備した検査視標を選択するための視標選択欄１０６が用意された設定画面に切り換える。検査視標３００は、ファイル名「Ｋ００１」で記憶媒体ＣＦに記憶されているので、視標選択欄１０６の番号「１」がタッチされて選択されることにより、視標の表示欄９１にファイル名の「Ｋ００１」が表示される。メーカが準備した視標の場合、表示欄９１には選択された視標の図柄が表示されるように制御プログラムがプログラムされているが、検者が準備した視標の場合、その図柄は分からないので、視標選択欄１０６の番号に対応したファイル名が表示される。検者は、表示欄９１のファイル名の表示により、自分の意図した視標が設定されたか否かを確認できる。
【００３４】
なお、プログラム作成時の段階から視標呈示装置２００の動作の連動を図っておくと、自分の意図した視標が設定されたか否かの確認をより確実に行うことができる。すなわち、視標選択欄１０６の番号が選択されると、その番号に対応した視標表示の指令信号が操作ユニット２０の制御部２１から視標呈示装置２００側に送られる。視標呈示装置側の制御部２１０は、視標表示の指令信号が視標選択欄１０６の番号「１」のとき、これに対応したファイル名「Ｋ００１」が付与された視標３００のデータを記憶媒体ＣＦ（またはメモリ２０５）から呼び出し、ディスプレイ２０１にその視標を表示させる。検者は、ディスプレイ２０１に表示された視標を見ることにより、自分の意図した検査視標であるか否かを確認できる。また、視標選択欄１０６で選択された番号に対応するファイル名の視標データが記憶媒体ＣＦ（またはメモリ２０５）に記憶されていないときは、制御部２１０はエラーメッセジをディスプレイ２０１に表示する。これにより、プログラムの作成段階で視標選択の誤りを確認できる。
【００３５】
上記のように、レッド・グリーン視標から検者が準備した検査視標３００に変更した時は、この検査視標３００に対応させて測定ユニット２０を動作させるべく、検者は補助レンズ設定欄９２の右眼側を固定クロスシリンダレンズに設定する。その他の設定欄９４〜９９は、図９（ｂ）の場合と同様に設定する。
【００３６】
また、両眼バランス検査の検査段階として、メーカが準備した文字等の視標に代え、図５（ｃ）の検査視標３２０を使用する場合、この視標のファイル名「Ｋ００３」に対応する視標選択欄１０６の番号「３」を選択することにより、検査視標３２０が設定される。表示欄９１には、ファイル名「Ｋ００３」が表示される。この検査では、検者は補助レンズ設定欄９２を両眼開放に設定し、検査モード設定欄９６を球面度数調整（ＳＰＨ）に設定し、雲霧量の設定欄９８及びクロスシリンダーテスト設定欄９９を「無し」に設定する。
【００３７】
また、両眼視機能検査における斜位検査として図５（ｂ）の視標３１０を使用する場合、の視標のファイル名「Ｋ００２」に対応する視標選択欄１０６の番号「２」を選択することにより、検査視標３１０が設定される。表示欄９１には、ファイル名「Ｋ００２」が表示される。この検査では、検者は補助レンズ設定欄９２の右眼側にレッドフィルタを設定し、左眼側にグリーンフィルタを設定する。また、検査モード設定欄９６をプリズム調整モードに設定する。
【００３８】
条件設定画面９０ｂのＥＮＤキー１０１がタッチされることにより、条件設定画面９０ｂが閉じられ、ディスプレイ２２の表示が検査項目一覧画面９０ａに切り換えられる。そして、画面９０ａのＥＮＤキー１２６がタッチされることにより、検眼プログラム作成が完了し、記憶部２４ａに記憶された検眼プログラムが書き換えられる（更新される）。
【００３９】
なお、図６（ｃ）の条件設定画面９０ｃで検者が準備した検査視標を設定する場合、視標選択欄１０６から選択する方法の他、検者が準備した検査視標のファイル名を直接設定する方法も可能である。例えば、タグアイコン１０４とは別に用意された直接入力キーをタッチすると、英数字（アルファベット及び数値）等の文字が入力可能なキーボードを模した文字入力画面に切換えられ、キーボード上の各文字のタッチキーを押すことにより、検査視標に対応したファイル名を直接入力して設定できる。
【００４０】
次に、以上のように作成された検眼プログラムを使用した検眼動作について、図７の検査手順のフローチャートを使用して説明する。
【００４１】
まず、シフトキー３９とスタートキー３１を押すごとに、ディスプレイ２２の表示欄８５に表示される検眼プログイラム名が切り換えられ、スタートキー３１を押すことにより、選択した検眼プログラムが実行される。
【００４２】
図７の検査手順のフローチャートにおいては、検者が準備した検査視標３００による球面度数調整の検査段階と、メーカが用意した点群視標３４０による乱視軸角度の検査段階、同じく点群視標３４０による乱視度数の検査段階と、検査視標３００による２回目の球面度数調整の検査段階と、メーカが用意した視力値検査視標３４１による方眼視力検査（方眼の完全矯正度数の決定検査）の段階とを、それぞれ右眼と左眼で進められるようにプログラムされている。左右それぞれで完全矯正度数が決定された後は、検者が準備した視標３２０による両眼バランス検査と、メーカが用意した視標３４２による立体視検査と、視力値検査視標３４１による両眼視力検査の順に進められるようにプログラムされている。送りキー３２が押されるごとに、次の検査段階に進められる。
【００４３】
制御部２１は、スタートキー３１の信号を受け、検眼プログラム記憶部２４ａに格納した検眼プログラムを読み出す。始めの検査段階では、球面度数調整モードとされる。このときの検査視標は、検者が準備した検査視標３００が設定されているので、制御部２１は、検眼プログラムの作成で設定された視標選択欄１０６の選択番号「１」に対応するファイル名「Ｋ００１」の視標の表示指令信号を視標呈示装置２００側に送信する。視標呈示装置２００側の制御部２１０は、送信されてきた指令信号に従い、ファイル名「Ｋ００１」の視標データをメモリ２０５（記憶媒体ＣＦ）から読み出し、その視標データをグラフィック処理してディスプレイ２０１に表示させる。これにより、検者が準備した検査視標３００がディスプレイ２０１に表示される。また、制御部２１は補助レンズに関する設定信号を測定ユニット１０に送信する。制御部１４は、補助レンズに関する信号に基づいて、左眼の検査窓１１に遮蔽板を配置させ、右眼を検査可能に、右眼の検査窓１１に固定クロスシリンダレンズを配置する。また、この検査段階は球面度数調整モードに設定されるので、ダイヤルノブ３６が操作されると、制御部１４は球面度数（Ｓ）を変更するように、球面レンズディスクのレンズを検査窓１１に切り替え配置する。検査視標３００を使用した第１検査では、固定クロスシリンダレンズを通して、縦線３０１と横線３０２の鮮明さが同等に見えるように（又は、横線３０２が縦線３０１よりやや濃く見えるように）、球面度数を調整する。
【００４４】
送りキー３２が押されることにより進められる乱視軸角度調整、乱視度数調整の検査段階では、制御部２１は点群視標３４０を表示させるように、視標呈示装置２００に指令信号を送信する。視標呈示装置２００の制御部２１０は、メモリ２０５から指令信号に対応する視標データを呼び出し、ディスプレイ２０１に視標３４０を表示させる。乱視軸角度調整の検査段階では、ダイヤルノブ３６が操作されると、測定ユニット１０に配置された乱視レンズの軸角度が変更される。乱視度数調整の検査段階では、乱視レンズの度数が変更される。
【００４５】
乱視検査後の球面度数調整の検査段階では、制御部２１０は、操作ユニット２０からの指令信号に従い、ファイル名「Ｋ００１」の視標データをメモリ２０５（記憶媒体ＣＦ）から読み出し、視標３００を再びディスプレイ２０１に表示させる。視標３００による２回目の球面度数調整では、過矯正を防止するために、縦線３０１と横線３０２の鮮明さが同等に見えるか、縦線３０１が横線３０２よりやや濃く見えるように、球面度数が調整される。
【００４６】
また、両眼の完全矯正度数が検査された後の両眼バランス検査段階では、検者が準備した検査視標３２０に設定されている。制御部２１からの指令信号に従い、制御部２１０はファイル名「Ｋ００３」の視標データをメモリ２０５（記憶媒体ＣＦ）から読み出し、視標３２０をディスプレイ２０１に表示させる。両眼バランス検査では、両眼に分離プリズムが配置されることにより、両眼には視標３２０が上下に分離して視認されるので、視標３２０に配置されたマンガ視標３２１の見え方が右眼と左眼で同等に見えるように、左右の球面度数が変更される。
【００４７】
その後、立体視検査視標３４２による立体視検査段階、視力値視標３４１による両眼での視力確認検査段階に移行される。立体視検査視標３４２もメーカにより準備されたものが使用されるときには、所定の検査視標がディスプレイ２０１に表示される。
【００４８】
また、両眼視機能の検査として、図５（ｂ）の斜位検査視標３１０を使用した検査段階がプログラムされている場合、制御部２１はプログラムの設定に従って、ファイル名「Ｋ００２」に対応する表示指令信号を制御部２１０に送る。この信号を受けた制御部２１０は、ファイル名「Ｋ００２」の視標データをメモリ２０５（記憶媒体ＣＦ）から読み出し、視標３２０をディスプレイ２０１に表示させる。検査視標３１０に対応して検査窓１１に配置される補助レンズ，検査モード等の測定ユニット１０の動作条件は、前述の条件設定画面９０ｃにより設定される。
【００４９】
以上のように、検者が準備した検査視標を視標呈示装置２００のディスプレイ２０１に表示させることができると共に、検者が準備した検査視標を使用して容易に検眼プログラムを作成でき、効率良く検眼が行える。
【図面の簡単な説明】
【００５０】
【図１】検眼装置の概略構成図である。
【図２】検眼装置が持つ各装置の制御ブロック図である。
【図３】操作ユニットの操作パネル部の構成図である。
【図４】操作ユニットの検査画面例を示した図である。
【図５】検者により作成又は準備された検査視標の例である。
【図６】検眼プログラム作成時の画面例を示す図である。
【図７】検眼プログラムによる検査手順のフローチャートを示す図である。
【符号の説明】
【００５１】
１０  自覚式屈折力測定装置
２０  操作ユニット
２１  制御部
２２  タッチパネル式ディスプレイ
２３  操作パネル部
２４  メモリ部
８６  視標欄８６
８６ａ  既存視標選択キー
８６ｂ  追加視標選択キー
８７、１０４  タグアイコン
９０ｂ  既存視標設定画面
９０ｃ  検者視標設定画面
９３  選択欄
１０６  選択欄
２００  視標呈示装置
２０１  ディスプレイ
２０５  メモリ
２１０  制御部
３００  クロスグリッド視標
３１０  斜位検査視標
３２０  両眼バランス検査視標
ＣＦ  記憶媒体
【図１】
0005065819.tif 000002
【図２】
0005065819.tif 000003
【図３】
0005065819.tif 000004
【図４】
0005065819.tif 000005
【図５】
0005065819.tif 000006
【図６】
0005065819.tif 000007
【図７】
0005065819.tif 000008